(57)【要約】  本発明は、電力供給設備の複数の充電可能な電気エネルギー貯蔵モジュールを管理する方法（３００）であって、前記モジュールが、相互に並列に配置されており、前記方法（３００）が、−前記モジュールを少なくとも２つのグループに分けること（３０２）；及び−前記グループの内の１つから一度に供給すること（３０４）；を含み、前記方法（３００）が、パッシブグループと呼ばれる少なくとも１つのグループ内において、調整フェーズ（３０６）を含み、その調整フェーズが、前記パッシブグループ内の機能モジュールと呼ばれる少なくとも１つの他のモジュールによって、前記パッシブグループ内のパッシブモジュールと呼ばれる少なくとも１つのモジュールへの動力供給（３０６）を含む、前記方法に関する。また、本発明は、このような方法を実施するシステム、及び、このような方法又はシステムを実施する電力供給設備に関する。
2019520020.tif 000002
【特許請求の範囲】
【請求項１】
電気供給設備（１００）の複数の充電可能な電気エネルギー貯蔵モジュール（１０６１〜１０６８）を管理する方法（３００）であって、
前記モジュール（１０６１〜１０６８）の各々が、少なくとも１つの充電可能な電気化学バッテリーを含み、そして、相互に並列に配置されており、
前記方法（３００）が、
−  前記モジュール（１０６１〜１０６８）を少なくとも２つのグループ（１０２，１０４）に分けること（３０２）；及び
−  前記グループ（１０２，１０４）のうちの１つから直ぐに供給すること（３０４）；
を含み、
前記方法（３００）が、アクティブグループと呼ばれる、グループ（１０２，１０４）による供給中において、前記アクティブグループ（１０２，１０４）以外の、パッシブグループと呼ばれる、少なくとも１つのグループ（１０４，１０２）内において、調整フェーズと呼ばれる、フェーズ（３０６）を含み、
前記調整フェーズ（３０６）が、前記パッシブグループ（１０４，１０２）内の、パッシブモジュールと呼ばれる、少なくとも１つのモジュールを、前記パッシブグループ（１０４，１０２）内の、作動モジュールと呼ばれる、少なくとも１つの他のモジュールによって、供給（３０６１）することを含む、前記方法。
【請求項２】
パッシブグループの前記調整フェーズ（３０６）が、前記パッシブグループの少なくとも１つのモジュールについての温度を維持することを特徴とする、請求項１に記載の方法（３００）。
【請求項３】
パッシブグループの前記調整フェーズ（３０６）が、前記パッシブグループの少なくとも１つのモジュールについての残量充電レベルのバランスを取ることを行うことを特徴とする、請求項１又は２に記載の方法（３００）。
【請求項４】
少なくとも１つのパッシブグループについて、前記調整フェーズ（３０６）が、前記パッシブグループ内における前記作動モジュールについての切り替え（３０６２）を含むことを特徴とする、請求項１〜３のいずれか一項に記載の方法（３００）。
【請求項５】
前記切り替え（３０６２）が、前記パッシブグループの各モジュールについての残量充電レベルに応じて行われることを特徴とする、請求項４に記載の方法（３００）。
【請求項６】
前記作動モジュールについての残量充電レベルが、前記パッシブグループの別のモジュールについての第１所定値の残量充電レベル以下になる場合において、前記切り替え（３０６２）が行われることを特徴とする、請求項４又は５に記載の方法（３００）。
【請求項７】
前記アクティブグループについての残量充電レベルが、前記パッシブグループについての第２所定値の残量充電レベル以下になる場合において、或るグループから別のグループへの供給のスイッチング（３０４２）が行われることを含むことを特徴とする、請求項１〜６のいずれか一項に記載の方法（３００）。
【請求項８】
各グループ（１０２，１０４）についての残量充電レベルに応じて、前記第２所定値が変動することを特徴とする、請求項７に記載の方法（３００）。
【請求項９】
各グループ（１０２，１０４）が、全く同一の数のモジュール（１０６）を含むことを特徴とする、請求項１〜８のいずれか一項に記載の方法（３００）。
【請求項１０】
前記パッシブグループの前記作動モジュールが、前記設備内において補助デバイスの供給のために使用されることを特徴とする、請求項９に記載の方法（３００）。
【請求項１１】
電気供給設備（１００）の複数の充電可能な電気エネルギー貯蔵モジュール（１０６１〜１０６８）を管理するためのシステムであって、
前記モジュール（１０６１〜１０６８）の各々が、少なくとも１つの充電可能な電気化学バッテリーを含み、そして、相互に並列に配置されており、
前記システムが、
−  各モジュール（１０６１〜１０６８）について、前記モジュール（１０６１〜１０６８）を他のモジュール（１０６１〜１０６８）とは独立して放電することを可能にする、個々の接続／切断手段（２０６１〜２０６８）；及び
−  前記接続／切断手段（２０６１〜２０６８）の各々を直接的又は間接的に制御するための少なくとも１つの制御装置（２０２１，２０２２，２０４）；
を含み、
前記制御装置（２０２１，２０２２，２０４）が、請求項１〜１０のいずれか一項に記載の方法（３００）のすべてのステップを実施するように構成されている、前記システム。
【請求項１２】
複数の充電可能な電気エネルギー貯蔵モジュール（１０６）を含む電気供給設備（１００）であって、
前記モジュール（１０６）の各々が、少なくとも１つの充電可能な電気化学バッテリーを含み、そして、相互に並列に配置されており、
前記モジュール（１０６）が、
−  請求項１〜１０のいずれか一項に記載の方法（３００）にしたがって；又は
−  請求項１１に記載のシステムによって；
管理されている、前記電気供給設備。
【請求項１３】
再生可能資源、例えば、少なくとも１つのソーラーパネル（１０８１）及び／又は風力タービン（１０８２）からの電気エネルギーを生成するための手段（１０８１，１０８２）を含むことを特徴とする、請求項１２に記載の設備（１００）。
【請求項１４】
−  電気自動車についての電気充電用のステーション；又は
−  建物、複合施設、又は電気／電子通信デバイスのための電気供給設備；
を含むことを特徴とする、請求項１２又は１３に記載の設備（１００）。
【発明の詳細な説明】
【技術分野】
【０００１】
本発明は、電気供給設備の電気化学バッテリーを知的に管理するための方法に関する。また、本発明は、そのような方法を実施するシステム、及びそのような方法又はそのようなシステムを実施する電気供給設備に関する。
【０００２】
本発明の分野は、給電信号を提供するために、並列に載置されているいくつかの電気化学バッテリー、特にＬＭＰ（登録商標）（Ｌｉｔｈｉｕｍ  Ｍｅｔａｌ  Ｐｏｌｙｍｅｒ：「リチウム金属ポリマー」）タイプを含んでいる電気供給設備の分野である。
【背景技術】
【０００３】
並列に載置されているいくつかの電気貯蔵モジュールを含んでいる、固定式電気供給設備が知られており、そして、その各々は、１つ以上の電気化学バッテリー、特にＬＭＰ（登録商標）タイプを含んでいる。各モジュールによって、電気エネルギーを貯蔵してそれから高電圧信号を伝達すること、例えば、電気自動車を充電したり又は建物に供給したりすることが可能となる。
【０００４】
或る固定式電気供給設備は、独立しており、そして、前記モジュールを充電する目的で、エネルギー生産手段（例えば、ソーラーパネル又は風力タービン）と電気エネルギー貯蔵モジュールとを結合している。
【０００５】
同時に、電気化学バッテリーは、放電をゆっくりするのには適していないことが知られている。さらに、ＬＭＰ（登録商標）（「リチウム金属ポリマー」）タイプのバッテリーの場合には、最低作動温度（一般に、８０℃以上）に、すべてのバッテリーを維持する必要がある。更に、いくつかのバッテリーを同時に使用する場合には、これらのバッテリーの各々は、充電レベルの残量が同じであることが好ましい。
【０００６】
しかしながら、現時点では、これらの要件のすべてを知的に満たすことを可能にするような、電気供給設備の充電可能な電気エネルギー貯蔵モジュールを管理するための方法は、存在していない。
【０００７】
本発明の目的は、この欠点を克服することである。
【０００８】
本発明の別の目的は、並列に載置された電気供給設備における、並列に載置された電気エネルギー貯蔵モジュールを知的に管理するための方法を提案することである。
【０００９】
また、前記モジュールをいつでも使用できる状態を維持しながら前記モジュールの寿命を最適化することが可能であるような、並列に載置された、電気供給設備の電気エネルギー貯蔵モジュールを管理する方法を提案することも本発明の目的とする。
【発明の開示】
【００１０】
本発明によって、特に固定式である、電気供給設備における複数の充電可能な電気エネルギー貯蔵モジュールを管理する方法によって、これらの目的の少なくとも１つを達成することを可能にし、
前記モジュールの各々が、少なくとも１つの充電可能な電気化学バッテリー（特に、ＬＭＰ（登録商標）タイプ）を含み、そして、相互に並列に配置されており、
前記方法が、
−  前記モジュールを少なくとも２つのグループに分けるステップ；及び
−  前記グループの内の１つから一度に、特に順番に、そしてより具体的には交互に、供給するステップ；
を含み、
前記方法が、アクティブグループと呼ばれるグループによる供給中において、前記アクティブグループ以外のパッシブグループと呼ばれる少なくとも１つのグループ内において、調整フェーズと呼ばれるフェーズを含み、
前記調整フェーズが、前記パッシブグループの内のパッシブモジュールと呼ばれる少なくとも１つのモジュールへの供給を、前記パッシブグループの内の作動モジュールと呼ばれる少なくとも１つの他のモジュールによって、行うことを含む。
【００１１】
したがって、本発明による方法は、事実上、電気エネルギー貯蔵モジュールをいくつかのグループに分けることを提案し、そして、供給を行うために（特に、電気自動車の充電のために、建物に供給のために、複合施設に供給のために、電気／電子デバイス（特に、Ｗｉｆｉホットスポットまたはアンテナ等の通信デバイス）に供給のために）一度に１つのグループを使用することを提案する。したがって、各グループに迅速な放電サイクルを付与し、各モジュールの寿命を最適化することが可能である。
【００１２】
さらに、パッシブグループと呼ばれるグループが使用されていない場合には、次いで、前記パッシブグループの一部を形成する作動モジュールと呼ばれるモジュールが、このパッシブグループの他のモジュールに供給するために使用される。これは、それらを使用可能状態に維持するようにそれらを調整するためである。
【００１３】
本願では、「分ける」とは、モジュールの物理的配置とは無関係に、モジュールの仮想グループを意味する。
【００１４】
好ましくは、パッシブグループの調整フェーズは、前記パッシブグループの少なくとも１つのモジュール、特に各々のモジュールについての残量充電レベルのバランスを取ることができる。
【００１５】
例えば、調整フェーズは、その残量充電レベルと、パッシブグループの少なくとも１つの他のモジュールの残量充電レベルとのバランスを取るために、作動モジュールの放電を行うことができる。この場合、作動モジュールは、例えば、車両の補助装置（特に、パッシブグループの外部）に供給するために使用することができる。
【００１６】
これに代えて、またはこれに加えて、パッシブグループの作動モジュールは、例えばパッシブグループの少なくとも１つの他のモジュールに供給することによって、パッシブグループのモジュールについての残量充電レベルのバランスを取るために使用することができる。この例では、作動モジュールは、前記のパッシブグループの少なくとも１つの他のモジュールを充電するために、パッシブグループの少なくとも１つの他のモジュールに放電する。
【００１７】
これに代えて、またはこれに加えて、パッシブグループの調整フェーズは、前記パッシブグループの少なくとも１つのモジュール、特に各々モジュールについての温度維持を行うことができる。
【００１８】
言い換えれば、パッシブグループの作動モジュールは、それ自体を含む、パッシブグループのうちの少なくとも１つのモジュール（特に、すべてのモジュール）を、所定の温度以上の温度に維持するために使用することができる。
【００１９】
パッシブグループの調整フェーズが温度維持を行う場合に、次いで、パッシブグループの作動モジュールは、それ自体を含む、パッシブグループの少なくとも１つのモジュール（特に、各々のモジュール）についての加熱手段（例えば、加熱抵抗器）に供給するために使用される。
【００２０】
本発明による方法の特に好ましいバージョンによれば、少なくとも１つのパッシブグループについて、調整フェーズは、パッシブグループ内の作動モジュールについての切り替え（特に、順番の切り替え）を含むことができる。
【００２１】
したがって、本発明による方法は、パッシブグループのモジュールのより良い管理を行うことを可能にする。
【００２２】
有利には、切り替えは、パッシブグループの各々のモジュールについての残量充電レベル（ＲＣＬ）に応じて、行うことができる。
【００２３】
特には、作動モジュールの残量充電レベルが、パッシブグループの別のモジュールについての第１所定値の残量レベル以下になった場合に、切り替えを行うことができる。
【００２４】
有利には、第１所定値は、パッシブグループの少なくとも１つのモジュールの最大充電容量（ＭＣＣ）のパーセンテージ、または残量充電レベル（ＲＣＬ）のパーセンテージに相当することができる。
【００２５】
第１実施形態によれば、第１所定値は、一定とすることができる。
【００２６】
例えば、第１所定値は、モジュールのＭＣＣの５％と等しくすることができる。
【００２７】
別の実施形態によれば、第１所定値は、変化することができる。
【００２８】
より具体的には、第１所定値は、パッシブグループの各々モジュールのレベルにおける残量充電レベル（ＲＣＬ）に応じることができる。
【００２９】
特に、パッシブグループの各々モジュールの残量充電レベル（ＲＣＬ）が減少する場合に、所定値を減少させることができる。
【００３０】
非限定的な実施形態によれば、第１所定値は、以下の値と等しくすることができる：
−  前記パッシブグループのすべてのモジュールがＭＣＣの７０％を超えるＲＣＬを有する場合には、パッシブグループのモジュールのＭＣＣの５％；
−  前記パッシブグループの少なくとも１つのモジュールがＭＣＣの５０％〜７０％のＲＣＬを有する場合には、パッシブグループのモジュールのＭＣＣの４％；
−  前記パッシブグループの少なくとも１つのモジュールがＭＣＣの３０％〜５０％のＲＣＬを有する場合には、パッシブグループのモジュールのＭＣＣの３％；そして
−  前記パッシブグループの少なくとも１つのモジュールがＭＣＣの３０％未満のＲＣＬを有する場合には、パッシブグループのモジュールのＭＣＣの２％。
【００３１】
非限定的な実施形態によれば、本発明による方法は、或るグループから別のグループへの供給のスイッチングを含むことができ、前記グループの残量充電レベルに応じて行うことができる。
【００３２】
より詳細には、或るグループから別のグループへのスイッチングは、パッシブグループの残量充電レベルがパッシブグループ（特に、第２所定値）の残量充電レベル以下の場合に行うことができる。
【００３３】
ミクロ停電のない連続的な供給が電気供給設備から望まれる場合には、連続的な供給を確保するようにスイッチングを行うことができる。
【００３４】
このようなスイッチングは、異なる方法で行うことができる。
【００３５】
第１実施形態によれば、第１グループから第２グループへのスイッチングは、第１グループを切断する前に第２グループを接続することによって行うことができ、この切り替えは、第１及び第２グループによって供給が保証されるような非常に短い期間である。
【００３６】
別の実施形態によれば、第１グループから第２グループへのスイッチングは、供給の連続性を保証するために、スイッチング中においてのみ、供給用として使用される第３のグループを使用することによって行うことができる。
【００３７】
もちろん、他の実施形態も可能である。
【００３８】
有利には、第２所定値は、少なくとも１つにおける、グループの最大充電容量（ＭＣＣ）のパーセンテージ、または残量充電レベル（ＲＣＬ）に相当することができる。
【００３９】
第１実施形態によれば、第２所定値は、一定とすることができる。
【００４０】
例えば、第２所定値は、グループのＭＣＣの５％と等しくすることもできる。
【００４１】
別の実施形態によれば、第２所定値は変化することができる。
【００４２】
より具体的には、第２所定値は、各々のグループのＲＣＬに応じさせることができる。
【００４３】
特に、第２所定値は、各々のグループのＲＣＬが減少する場合に、減少させることができる。
【００４４】
非限定的な実施形態によれば、第２所定値は、以下の値と等しくすることができる：
−  すべてのグループがＭＣＣの７０％を超えるＲＣＬを有する場合には、グループのＭＣＣの１０％；
−  少なくとも１つのグループがＭＣＣの５０％〜７０％のＲＣＬを有する場合には、グループのＭＣＣの８％；
−  少なくとも１つのグループがＭＣＣの３０％〜５０％のＲＣＬを有する場合には、グループのＭＣＣの５％；そして
−  少なくとも１つのグループがＭＣＣの３０％未満のＲＣＬを有する場合には、グループのＭＣＣの３％。
【００４５】
好ましいバージョンでは、各々のグループは、同じ数のモジュールを含むことができる。
【００４６】
モジュールの数は、供給ステップ中の所望の合計電力と各々モジュールによって供給可能な電力とに応じて、決定することができる。
【００４７】
好ましいバージョンでは、全てのモジュールが同じであり、それぞれが全く同一の公称電力を運ぶ。
【００４８】
有利には、パッシブグループの作動モジュールは、さらに、パッシブグループの内部または外部における、電気供給設備内の補助装置の供給のために使用することができる。
【００４９】
本発明による方法は、各々のモジュールについて、以下のパラメータについての少なくとも１つのパラメータ（特に、各々のパラメータ）の測定を更に含むことができる：
−  例えば電池残量計による、前記モジュールの残量充電レベル（ＲＣＬ）；
−  例えば温度計または熱電対による温度による、前記モジュールの温度；及び／又は
−  例えば電圧計による、前記モジュールの端子における電圧。
【００５０】
これらのパラメータのうちの少なくとも１つは、別のグループへの、パッシブグループの別のモジュールそれぞれへの、スイッチング、それぞれの切り替えが行わなければならないかどうかを決定するために、使用することができる。
【００５１】
本発明の別の観点では、電気供給設備の複数の充電可能な電気エネルギー貯蔵モジュールを、特に、固定式において、管理するためのシステムであって、
前記モジュールの各々が、少なくとも１つの充電可能な電気化学バッテリー（特に、ＬＭＰ（登録商標）タイプ）を含み、そして、相互に並列に配置されており、
前記システムが、
−  各々モジュールについて、個々の接続／切断手段によって、前記モジュールを、他のモジュールとは独立して放電において配置することを可能にする手段；及び
−  前記接続／切断手段の各々を、直接的又は間接的に制御するための少なくとも１つのグループ制御装置；
を含み、
前記グループ制御装置が、本発明による方法のすべてのステップを実施するように構成されている、前記システムを提案する。
【００５２】
本発明のさらに別の観点によれば、複数の充電可能な電気エネルギー貯蔵モジュールを含み、特に固定式である、電気供給設備であって、
前記モジュールの各々が、少なくとも１つの充電可能な電気化学バッテリー（特に、ＬＭＰ（登録商標））を含み、そして、相互に並列に配置されており、
前記モジュールが、
−  本発明による方法にしたがって；又は
−  本発明によるシステムによって；
管理されている、前記電気エネルギー貯蔵モジュールを提案する。
【００５３】
有利には、本発明による設備は、再生可能な源（例えば、少なくとも１つのソーラーパネル及び／又は少なくとも１つの風力タービン）からの電気エネルギーを生成するための手段を含むことができる。
【００５４】
そのような手段によって生成されるエネルギーは、少なくとも１つの充電可能な電気エネルギー貯蔵モジュールにおいて充電するために使用することができる。
【００５５】
あるいは、又はこれに加えて、少なくとも１つの充電可能な電気エネルギー貯蔵モジュールを電力網から充電することができる。
【００５６】
本発明による電気供給設備は、電気自動車用の電気充電ステーションとすることができる。
【００５７】
あるいは、本発明による電気供給設備は、建物（例えば、映画館、スポーツグラウンドなどの複合施設、または、Ｗｉｆｉホットスポットまたはアンテナなどの電気／電子通信デバイス）のための電気供給設備とすることができる。
【図面の簡単な説明】
【００５８】
本発明の他の利点及び特徴は、決して限定的ではない実施形態の詳細な説明、及び添付の図面を検討することによって明らかになるであろう。
−図１は、本発明による電気供給設備の非限定的な実施例についての概略図である。
−図２ａ及び図２ｂは、本発明による電気供給設備（特に、図１の設備）の電気エネルギー貯蔵モジュールを並列に接続した２つの非限定的な実施例についての概略図である。
−図３は、本発明による方法の非限定的な実施形態についてのフローチャートの形態である概略図である。
−図４ａ〜図４ｆは、図１の設置の場合における、図３の方法を応用した実施例の図である。
【発明を実施するための形態】
【００５９】
以下に説明される実施形態は決して限定的ではないことは十分に理解される。以下に記載されている特徴の選択のみ（この特徴は、他に記載された特徴から分離されている）を含む本発明の変形例を考慮することができる（但し、この特徴の選択は、技術的利点を与えるのに十分であるか、又は従来技術に対して本発明を区別するのに十分である場合に限る）。この選択は、（好ましくは、構造的な詳細がない機能的部分を有するか、又は構造的な詳細な部分のみを有する）少なくとも１つの特徴を含む（但し、この部分のみで、技術的な利点を与えるのに十分であるか、又は先行技術に対して本発明を区別する場合に限る）。
【００６０】
図面において、いくつかの図面に共通の構成要素は、同じ参照を有する。
【００６１】
図１は、本発明による電気供給設備の非限定的な実施例についての概略図である。
【００６２】
図１に示される電気供給設備１００は、例えば、電気バス又は電気自動車などの電気自動車のための電気充電ステーション、建物の供給設備、サッカー場などの複合施設、ＷｉＦｉホットスポット又はアンテナなどの通信デバイスとすることができる。
【００６３】
設備１００は、第１グループ１０２及び第２グループ１０４を含む。各々は、４個の充電可能な電気エネルギー貯蔵モジュール（すなわち、グループ１０２用のモジュール１０６１〜１０６４、及びグループ１０４用のモジュール１０６５〜１０６８）を含む。
【００６４】
充電可能な電気エネルギー貯蔵モジュール１０６の各々は、ＬＭＰ（登録商標）（「リチウム金属ポリマー」）タイプの１つ以上のバッテリーを含む。モジュール１０６は、全て同一であり、同じ公称電力を提供する。
【００６５】
再生可能な源（例えば、ソーラーパネル１０８１又は風力タービン１０８２）から電気エネルギーを生成するための１以上の手段１０８を、モジュール１０６を充電するために使用することができる。製造手段１０８は、設備１００の一部を形成してもしなくてもよい。
【００６６】
あるいは、又はこれに加えて、各々モジュール１０６は、参照番号１１０の線で示される電気エネルギー分配グリッドから充電することができる。
【００６７】
設備１００によって、参照番号１１２で示される電力網を介して、充電端末、複合施設、より一般的には実体物（ｅｎｔｉｔｙ）に供給することができる。１つ以上のグループ制御装置によって、設備１００の作動を制御することができる。
【００６８】
図２ａは、本発明による電気供給設備（特に、図１の設備１００）の電気エネルギー貯蔵モジュールを並列に接続した非限定的な実施例についての概略図である。
【００６９】
図２ａに示す実施例では、グループ１０２のモジュール１０６１〜１０６４は、グループ制御プログラムとも呼ばれる管理モジュール２０２１に接続され、そして、グループ１０４のモジュール１０６５〜１０６８は、グループ制御装置とも呼ばれる管理モジュール２０２２に接続されている。
【００７０】
グループ制御装置２０２１及び２０２２は、別々に中央制御装置２０４に接続され、中央制御装置２０４それ自体は、供給すべき（「Ｅ」で示される）実体物２０８に直接的又は間接的に接続される。このような実体物は、電気自動車、建物、電気／電子装置、ＷｉＦｉホットスポット、アンテナなどとすることができる。
【００７１】
特に、グループ１０２の各モジュール１０６１〜１０６４は、各接触器２０６１〜２０６４を介して、グループ制御装置２０２１に接続され、この接触器は、グループ制御装置２０２１によって又は中央制御装置２０４によって制御することができる。同様に、グループ１０４の各モジュール１０６５〜１０６８は、各接触器２０６５〜２０６８を介して、グループ制御装置２０２２に接続され、この接触器は、グループ制御装置２０２２によって又は中央制御装置２０４によって制御することができる。
【００７２】
各接触器２０６ｉは、モジュール１０６ｉによって供給される電流を通過させるようにする閉鎖状態、又はモジュール１０６ｉによって供給される電流を通過しないようにする開放状態のいずれかに設定するために、中央制御装置２０４によって又はグループ制御装置２０２１〜２０２２２を介して個別に制御することができる。
【００７３】
中央制御装置２０４は、以下を含む：
−  各モジュール１０６の残量充電レベル（ＲＣＬ：ｒｅｍａｉｎｉｎｇ  ｃｈａｒｇｅ  ｌｅｖｅｌ）を個別に測定する手段（図示せず）；
−  各モジュール１０６の温度を個別に測定するための手段（図示せず）；及び／又は
−  各モジュール１０６の端子における電圧を個別に測定する手段（図示せず）。
【００７４】
さらに、中央制御装置２０４は、前記モジュールが故障しているか作動中であるかを決定するために、各モジュールについて測定された値のそれぞれを１つ以上の所定の値又は値の範囲と比較するように構成される。
【００７５】
もちろん、これらのパラメータの測定及び比較は、中央制御装置２０４以外のユニットによって（例えば、各グループ制御装置２０２１〜２０２２などによって）、代わりに実行することができる。
【００７６】
図２ｂは、電気供給設備（特に、図１の設備１００）の電気エネルギー貯蔵モジュールを並列に接続した別の非限定的な実施例についての概略図である。
【００７７】
図２ｂに示す実施例では、グループ制御装置２０２を除いて、図２ａの実施例の全ての構成要素を含む。
【００７８】
図２ｂに示す実施例では、グループ制御装置２０２１及び２０２２を使用することなく、モジュール１０６１〜１０６８は、接触器２０６１〜２０６８によって中央制御装置２０４に直接接続される。更に、モジュール１０６ｉの全ては、相互に並列配置される。
【００７９】
図３は、本発明による管理方法の第１の非限定的な実施例のフローチャートである。
【００８０】
図３に示す方法３００では、いくつかのグループ、例えば、正確には２個のグループ（例えば、グループ１０２及び１０４）にモジュールを分けるステップ３０２を含む。
【００８１】
この分けるステップ３０２において、例えば図２ａに示すようなグループを構成するために、モジュールの物理的配置を考慮に入れることができる。あるいは、例えば図２ｂに示すようなモジュールの物理的配置を考慮しないことも可能である。
【００８２】
ステップ３０４において、方法３００は、次々に、各グループから交互に供給を行う。これを行うために、ステップ３０４１は、グループの１つから供給を行う。供給工程のグループは、アクティブグループと呼ばれ、他のグループは、パッシブグループと呼ばれる。アクティブグループの残量充電レベル（ＲＣＬ）は、供給ステップ３０４１において監視される。次に、所定のルールに応じて、ステップ３０４２では、別のパッシブグループへの供給のスイッチングなどが行われる。
【００８３】
ステップ３０４２中における或るグループから別のグループへのスイッチングは、各グループの残量充電レベル（ＲＣＬ）及びグループの最大充電容量（ＭＣＣ）に応じて行うことができる。
【００８４】
特に、アクティブグループからパッシブグループへのスイッチングは、アクティブグループのＲＣＬが、所定値のパッシブグループのＲＣＬ以下になると行われ、この所定値は、以下の値に等しい： 
−  すべてのグループがＭＣＣの７０％を超えるＲＣＬを有する場合には、グループのＭＣＣの１０％；
−  少なくとも１つのグループがＭＣＣの５０％〜７０％のＲＣＬを有する場合には、グループのＭＣＣの８％；
−  少なくとも１つのグループがＭＣＣの３０％〜５０％のＲＣＬを有する場合には、グループのＭＣＣの５％；そして
−  少なくとも１つのグループがＭＣＣの３０％未満のＲＣＬを有する場合には、グループのＭＣＣの３％。
【００８５】
このようなスイッチングによって、全てのモジュールの放電を最適化することができ、そしてモジュール毎に残量充電レベルを略等しくすることができる。
【００８６】
アクティブグループによる供給において、方法３００は、各パッシブグループ内で行われる調整フェーズ３０６を含む。
【００８７】
これを行うために、各パッシブグループについて、ステップ３０６１は、パッシブグループのモジュールから、以下の供給を行う：
−  パッシブグループの各モジュールの加熱抵抗器の供給、及び
−  場合により、設備の補助デバイス（例えば、ディスプレイパネル、空調装置など）の供給。
【００８８】
パッシブグループを提供するプロセス中におけるモジュールは、作動モジュールと呼ばれ、そして、パッシブグループの他のすべてのモジュールをパッシブモジュールと呼ばれる。
【００８９】
パッシブグループの作動モジュールの残量充電レベル（ＲＣＬ）は、供給ステップ３０６１中において監視される。次に、所定のルールに応じて、ステップ３０６２において、パッシブグループ内の作動モジュールの切替えを行う。
【００９０】
ステップ３０６２中における作動モジュールの切替えは、パッシブグループの各モジュールの残量充電レベル（ＲＣＬ）とグループの最大充電容量（ＭＣＣ）とに応じて行うことができる。
【００９１】
特に、パッシブグループ内での作動モジュールの切替えは、作動モジュールのＲＣＬが、所定値のパッシブグループのＲＣＬ以下になると行われ、この所定値は、以下の値に等しい：
−  パッシブグループのすべてのモジュールがＭＣＣの７０％を超えるＲＣＬを有する場合には、モジュールのＭＣＣの５％；
−  パッシブグループの少なくとも１つのモジュールがＭＣＣの５０％〜７０％のＲＣＬを有する場合には、モジュールのＭＣＣの４％；
−  パッシブグループの少なくとも１つのモジュールがＭＣＣの３０％〜５０％のＲＣＬを有する場合には、モジュールのＭＣＣの３％；そして
−  パッシブグループの少なくとも１つのモジュールがＭＣＣの３０％未満のＲＣＬを有する場合には、モジュールのＭＣＣの２％。
【００９２】
調整フェーズ３０６は、パッシブグループのモジュールの温度を、所定の値（例えば、８０℃）を超えて維持するために行うことができる。この場合、調整フェーズ３０６中において、作動モジュールは、それ自体を含む、パッシブグループの各モジュールの加熱抵抗器に供給する。
【００９３】
それに加えて、又はこれに代えて、パッシブグループのモジュールの残量充電レベル（ＲＣＬ）についてのバランスを取るために、調整フェーズ３０６を行うことができる。この場合、調整フェーズ３０６中において、作動モジュールは、パッシブグループの各モジュールの加熱抵抗器、及び／又はパッシブグループの外部の補助デバイスに供給することができる。
【００９４】
図４ａ〜図４ｆは、図１の設備１００の場合における、図３の方法３００の実施形態を表している。
【００９５】
実体物「Ｅ」は、グループ１０２及び１０４によって交互に供給される。
したがって：
−  図４ａ〜図４ｃでは、実体物「Ｅ」がグループ１０２によって供給され、次いで、
−  図４ｄ〜図４ｅにおいて、実体物「Ｅ」がグループ１０４によって供給され、次いで、
−  図４ｆにおいて、実体物「Ｅ」がグループ１０２によって再び供給される。
【００９６】
図４ａ〜図４ｃを参照すると、実体物「Ｅ」を供給するアクティブグループはグループ１０２であり、グループ１０４はパッシブグループである。調整は、パッシブグループ１０４内で行われる。この調整中において、パッシブグループ１０４のすべてのモジュール１０６５〜１０６８、及び、場合により、「Ａ」で示される補助デバイスは、パッシブグループ１０４内で選択される、作動モジュールと呼ばれるモジュールによって供給される。この作動モジュールは、次のように切り替えられる：
−  図４ａにおいて、パッシブグループ１０４の作動モジュールは、モジュール１０６５であり、次に
−  図４ｂにおいて、パッシブグループ１０４の作動モジュールは、モジュール１０６６であり、次に
−  図４ｃでは、パッシブグループ１０４の作動モジュールは、モジュール１０６７である。
【００９７】
図４ｄ〜図４ｅを参照すると、実体物「Ｅ」を供給するアクティブグループは、グループ１０４であり、グループ１０２は、パッシブグループである。調整は、パッシブグループ１０２内で行われる。この調整中において、パッシブグループ１０２のすべてのモジュール１０６１〜１０６４、及び、場合により、「Ａ」で示される補助デバイスは、パッシブグループ１０２内で選択される、作動モジュールと呼ばれるモジュールによって供給される。この作動モジュールは、次のように切り替えられる：
−  図４ｄにおいて、パッシブグループ１０２の作動モジュールは、モジュール１０６１であり、次に
−  図４ｅにおいて、パッシブグループ１０２の作動モジュールは、モジュール１０６４である。
【００９８】
図４ｆを参照すると、実体物「Ｅ」を供給するアクティブグループは、再び、グループ１０２であり、グループ１０４は、再び、パッシブグループである。調整は、パッシブグループ１０４内で行われる。この調整中において、パッシブグループ１０４のすべてのモジュール１０６５〜１０６８、及び場合により、「Ａ」で示される補助デバイスは、パッシブグループ１０４内で選択される、作動モジュールと呼ばれるモジュールによって供給される。図４ｆにおいて、この作動モジュールは、モジュール１０６８である。
【００９９】
もちろん、本発明は、上述した実施例に限定されるものではない。特に、貯蔵モジュールの数、モジュールのグループの数、及び各グループのモジュールの数は、上記の実施例に示したものに限定されず、そして、特に設置レベルでの所望のバッテリー寿命及び電力に依存する、エネルギー貯蔵モジュールの最大値に相当する。
【０１００】
本発明は、そのような設置を必要とする任意の静止した用途を意図している。
【図１】
2019520020.tif 000003
【図２ａ】
2019520020.tif 000004
【図２ｂ】
2019520020.tif 000005
【図３】
2019520020.tif 000006
【図４ａ】
2019520020.tif 000007
【図４ｂ】
2019520020.tif 000008
【図４ｃ】
2019520020.tif 000009
【図４ｄ】
2019520020.tif 000010
【図４ｅ】
2019520020.tif 000011
【図４ｆ】
2019520020.tif 000012
【国際調査報告】
2019520020.tif 000013
2019520020.tif 000014
2019520020.tif 000015
2019520020.tif 000016
2019520020.tif 000017
2019520020.tif 000018